(57)【要約】【課題】専用のアダプタを取付けることなく一般家庭に通常設置されている照明器具用の電気配線器具、例えば、引掛けローゼット等に対し簡単に取付けが可能となるランプ内蔵アダプタを提供することによって、電気工事士の資格を持たない一般のユーザーでも照明器具の取付けを容易に行えるようにする。【解決手段】天井面１１又は壁面にあらかじめ設置されている電気配線器具（引掛けローゼット１６）に直付けで接続するための薄型照明器具を兼ねたＧＸ５３ソケット対応ランプ内蔵アダプタ１であって、ＩＥＣ規格のＧＸ５３ソケット対応ランプを内蔵するとともに前記電気配線器具（引掛けローゼット１６）の差込み口１０に差し込んで電気的導通を得るための差込み爪８を有する。【選択図】図１
2008053059.tif 000002
【特許請求の範囲】
【請求項１】
天井面又は壁面にあらかじめ設置されている電気配線器具に直付けで接続するための薄型照明器具を兼ねたアダプタであって、ＩＥＣ規格のＧＸ５３ソケット対応ランプを内蔵するとともに前記電気配線器具に差し込んで電気的導通を得るための差込み部を有することを特徴とするＧＸ５３ソケット対応ランプ内蔵アダプタ。
【請求項２】
前記電気配線器具が引掛けローゼットであることを特徴とする請求項１記載のＧＸ５３ソケット対応ランプ用アダプタ。
【請求項３】
前記電気配線器具が一般家庭用のコンセントであり、前記アダプタの一方の面に設けた差込み部は前記コンセントに差し込む差込みプラグであることを特徴とする請求項１記載のＧＸ５３ソケット対応ランプ用アダプタ。
【請求項４】
前記電気配線器具がＩＥＣ規格のＥ２６またはＥ１７ソケットであり、前記アダプタの一方の面に設けた差込み部は前記Ｅ２６またはＥ１７ソケットにねじ込むＥ２６またはＥ１７口金であることを特徴とする請求項１記載のＧＸ５３ソケット対応ランプ用アダプタ。
【発明の詳細な説明】
【技術分野】
【０００１】
本発明は、ＩＥＣ（国際電気標準会議）で規格化されたＧＸ５３型ソケットを用いた電球型蛍光ランプを天井面または壁面に直付けで設置する際に使用するアダプタであって、あらかじめＧＸ５３ソケット対応ランプを内蔵させて一体化したアダプタに関する。
【背景技術】
【０００２】
最近になって市場に流通し始めている照明器具として、インバータを内蔵させた薄型の電球型蛍光ランプがある。この照明器具は、全体構造を薄型にすることによって天井面または壁面への直付けを可能にし、外観の向上や照明効果の向上を図ることができるようになっている。
【０００３】
通常、電球型蛍光ランプは、電球用口金を備えた球状のバルブの内部に、蛍光管をＵ字型に屈曲させた構造またはらせん状にねじった構造などを有する発光管を設けている。そして、口金は白熱電球と共用できるようにＩＥＣ規格のＥ２６またはＥ１７型口金（ねじ込み型）を使用している。
【０００４】
このような電球型蛍光ランプは、口金のねじ込み中心軸方向に沿って蛍光管も棒状に延びており、この蛍光管を球状のバルブで囲む構造となっているので薄型とは程遠い構造となっている。また、口金の構造も白熱電球から分かるようにねじ込み部分に長さがあるため薄型にすることはできない。
【０００５】
そこで最近市場に流通し始めた薄型の電球型蛍光ランプは、口金にＩＥＣ規格のＧＸ５３型ソケットを使用し、また、発光管はＧＸ５３型ソケットの中心軸に対し直角方向になるように設置した構造となっている。ＧＸ５３型ソケットは厚さが２０ｍｍ程度と薄型であり、発光管は天井面または壁面に対し平行に設置されている（特許文献１参照）ので、全体として薄型となっている。
【０００６】
この従来の電球型蛍光ランプ（以下、ＧＸ５３ソケット対応ランプと称する）の構造およびその天井面への取付け構造について、図面を参照して説明する。図５はその構成図である。
【０００７】
図５に示すように、ＧＸ５３ソケット対応ランプ２１は、ＧＸ５３ソケット２、ランプ部３、シェード４から構成される。ランプ部３はＵ字型に屈曲した棒状の蛍光管５を有し、蛍光管５の取付け部分にインバータ６が内蔵されており、その先にねじ込み式の口金７が設けられており、この口金７を受け口金にねじ込んで固定するようになっている。そして、ＧＸ５３ソケット２にランプ部３を組み込んだ後シェード４を被せ、ＧＸ５３ソケット対応ランプ２１が構成されている。
【０００８】
また、ＧＸ５３ソケット２には引掛け爪８が設けられており、専用アダプタ９に開けられた差込み口１０に差し込んで回転係止する構造となっており、ＧＸ５３ソケット対応ランプ２１と専用アダプタ９との接続を容易にしている。専用アダプタ９は天井面１１にネジ１２で固定され、同時に電源供給用の電気配線１３が引き込まれる（特許文献２参照）ようになっている。
【０００９】
【特許文献１】特開２００５−０９３３２０号公報
【特許文献２】特開平１０−１７２３３１号公報
【発明の開示】
【発明が解決しようとする課題】
【００１０】
上述したように、従来のＧＸ５３ソケット対応ランプは、専用のアダプタをネジ止めによって天井面または壁面に取り付け、この専用アダプタを介して直付け設置する構造となっている。このことは、一般のユーザーが好きな場所に設置が可能というメリットがある反面、天井面または壁面にネジ止めの際に傷をつけてしまうというデメリットもある。
【００１１】
また、電源供給は電気配線が必要であるため、電気工事士の資格を持たない一般のユーザーは配線工事を自分自身では行うことができない。そのため、専用のアダプタの取付けが容易にできないという問題があった。
【００１２】
本発明は上記問題点を解決するためになされたもので、専用のアダプタを取付けることなく一般家庭に通常設置されている照明器具用の電気配線器具、例えば、引掛けローゼット、あるいは一般家庭用のコンセント、あるいはＥ２６やＥ１７ソケット等に対し簡単に取付けが可能となるランプ内蔵アダプタを提供することによって、電気工事士の資格を持たない一般のユーザーでも照明器具の取付けを容易に行えるようにすることを目的とする。
【課題を解決するための手段】
【００１３】
本発明は、天井面又は壁面にあらかじめ設置されている電気配線器具に直付けで接続するための薄型照明器具を兼ねたアダプタであって、ＩＥＣ規格のＧＸ５３ソケット対応ランプを内蔵するとともに前記電気配線器具に差し込んで電気的導通を得るための差込み部を有することを特徴とするＧＸ５３ソケット対応ランプ内蔵アダプタである。
【００１４】
また、本発明のアダプタにおいて、前記電気配線器具が引掛けローゼットであることを特徴としている。
【００１５】
また、本発明のアダプタにおいて、前記電気配線器具が一般家庭用のコンセントであり、前記アダプタの一方の面に設けた差込み部は前記コンセントに差し込む差込みプラグであることを特徴としている。
【００１６】
また、本発明のアダプタにおいて、前記電気配線器具がＩＥＣ規格のＥ２６またはＥ１７ソケットであり、前記アダプタの一方の面に設けた差込み部は前記Ｅ２６またはＥ１７ソケットにねじ込むＥ２６またはＥ１７口金であることを特徴としている。
【発明の効果】
【００１７】
本発明のＧＸ５３ソケット対応ランプ内蔵アダプタは、一般家庭に通常設置されている照明器具用の電気配線器具、例えば、引掛けローゼット、あるいは一般家庭用のコンセント、あるいはＥ２６やＥ１７ソケット等に対し簡単に取付けが可能となるとともに、電気工事士の資格がなくても照明器具への電源供給を可能とする。
【発明を実施するための最良の形態】
【００１８】
次に、本発明のアダプタについて図面を参照して説明する。図１は本発明の実施例１を示す図で、ＧＸ５３ソケット対応ランプ内蔵アダプタの構造およびその天井面への取付け構造を示している。なお、従来と同じ部品は同じ符号を用いて説明する。
【実施例１】
【００１９】
図１に示すように、本発明のＧＸ５３ソケット対応ランプ内蔵アダプタ１（以下、単にランプ内蔵アダプタ１と称する）は、ＧＸ５３ソケット２、ランプ部３、シェード４から構成される。ここで、ＧＸ５３ソケット２、ランプ部３は従来と同じであるがシェード４の構造が異なっている。
【００２０】
すなわち、シェード４はランプ部３をカバーするだけでなくＧＸ５３ソケット２も一体に組み込んだハウジング構造となっている。そして、天井面と対向する面に引掛け爪８が設けられている。
【００２１】
一方、天井面１１には引掛けローゼット１６および電気配線１３があらかじめ常設されており、この引掛けローゼット１６の差込み口１０にランプ内蔵アダプタ１の引掛け爪８を挿入してランプ内蔵アダプタ１を回転係止させる。なお、実施例１では引掛けローゼット１６を埋め込み型としたが露出型でもよく、外形も丸型でも角型でもよい。
【００２２】
また、ランプ内蔵アダプタ１内に設置する蛍光管５は、背景技術で説明したのと同じ構造のものを使用する。ただし、インバータ内蔵型でなくてもよく、その場合はＧＸ５３ソケット２内にインバータを設ける。
【００２３】
図２はランプ内蔵アダプタの概略寸法を示している。外形寸法はＧＸ５３ソケット２の外形寸法に合わせて７５ｍｍとしているが、ランプ部３の寸法はこの寸法に合わせる必要はない。また、点線で示す部分はインバータ６および光源部分１４である。ＧＸ５３ソケット２の厚さは約２０ｍｍであるが、ランプ部３の厚さｔは内部に設置する蛍光管５の構造によって左右される。しかし、蛍光管５は天井面と平行に設置する構造であるので、いわゆる電球型蛍光ランプに比べて薄型とすることができる。
【００２４】
このような構造のランプ内蔵アダプタ１の引掛け爪８を図１に示すように引掛けローゼット１６の差込み口１０に挿入し、ランプ内蔵アダプタ１を回転係止させる。これにより常設の引掛けローゼット１６に本発明のランプ内蔵アダプタ１を容易に装着することができる。
【００２５】
また、引掛けローゼット１６の差込み口１０は電気配線１３が接続されており、また、ランプ内蔵アダプタ１は引掛け爪８と点灯回路および蛍光管との間が電気的に導通されているので、引掛け爪８を引掛けローゼット１６の差込み口１０に挿入して回転係止することによって電源供給がなされ、蛍光管が点灯して薄型照明器具としての機能を発揮することができる。
【実施例２】
【００２６】
実施例１では、本発明のランプ内蔵アダプタ１の一面に引掛け爪８を設けていたが、実施例２では、この引掛け爪８に替わって通常家庭用の差込みプラグを設けた構造としたものである。図３に示すように、ランプ内蔵アダプタ１に差込みプラグ１７を取付け、一般家庭用のコンセント１８に差込み可能としたものである。
【００２７】
本構造によれば、一般家庭用のコンセントを利用できるためさまざまな用途での使用が可能になる。例えば、壁面の下方にコンセントが設置されていれば、足元灯を点灯させることができる。
【実施例３】
【００２８】
実施例２では、引掛け爪８に替わって通常の差込みプラグ１７を設けた構造としたものであったが、実施例３では、図４に示すように、この差込みプラグ１７に替わって通常の白熱電球に備えられているねじ込み式の口金１９（Ｅ２６型口金）を取り付けてランプ内蔵アダプタ１としている。
【００２９】
このＥ２６型口金をねじ込むＥ２６型ソケット２０も一般家庭に広く設置されており、白熱電球に替わる照明器具の取替えを容易に行うことができる。なお、Ｅ２６型の口金およびソケットに限らずＥ１７型の口金およびソケットを用いてもよい。
【産業上の利用可能性】
【００３０】
ＩＥＣ規格のＧＸ５３型ソケットを利用した薄型の電球型蛍光ランプを、専用のアダプタを使用することなく一般家庭でも容易に取り付けることができる。
【図面の簡単な説明】
【００３１】
【図１】本発明の実施例１を説明する構成図である。
【図２】ランプ内蔵アダプタの概略寸法を示す図である。
【図３】本発明の実施例２を説明する構成図である。
【図４】本発明の実施例３を説明する構成図である。
【図５】従来のアダプタ構造を説明する構成図である。
【符号の説明】
【００３２】
１    ランプ内蔵アダプタ
２    ＧＸ５３ソケット
３    ランプ部
４    シェード
５    蛍光管
６    インバータ
７    口金
８    引掛け爪
９    専用アダプタ
１０    差込み口
１１    天井面
１２    ネジ
１３    電気配線
１４    光源部分
１５    開口
１６    引掛けローゼット
１７    差込みプラグ
１８    コンセント
１９    Ｅ２６型口金
２０    Ｅ２６型ソケット
２１    ＧＸ５３ソケット対応ランプ
【図１】
2008053059.tif 000003
【図２】
2008053059.tif 000004
【図３】
2008053059.tif 000005
【図４】
2008053059.tif 000006
【図５】
2008053059.tif 000007